(57)【特許請求の範囲】
【請求項１】
光源から照射された光が入射する回転軸と、前記回転軸を回転させるモータと、を有するムーブメントと、
各種標記が描かれた文字板と、
前記文字板上の標記を指し示す指針本体と、前記文字板に向けて前記指針本体の基部から垂下された、基端側が前記文字板の軸孔に回転可能に挿通されるとともに前記回転軸の先端側と連結可能な指針軸と、を有する指針と、
前記文字板の背面側において前記指針軸の基端に取り付け可能な、前記指針軸が貫通する前記軸孔からの光漏れを抑えるための遮光部材と、
を備える、
ことを特徴とするメータ装置。
【請求項２】
前記指針軸の外周面のうちの、前記遮光部材より前記文字板寄りに位置する箇所には、前記指針軸の内部から外部へ向けての光の透過を抑制する抑制部材が設けられている、
ことを特徴とする請求項１に記載のメータ装置。
【請求項３】
前記回転軸の先端に配置されるプリズムをさらに備え、
前記プリズムは、前記回転軸内を伝播してきた前記光源からの光の一部を前記文字板から離れる向きに屈折するように構成した、
ことを特徴とする請求項１または２に記載のメータ装置。
【請求項４】
前記プリズム及び前記遮光部材は、前記指針軸と前記回転軸とを連結する手段を有している、
ことを特徴とする請求項３に記載のメータ装置。
【請求項５】
前記遮光部材は、少なくとも文字板に対面する面側が前記文字板と同系色を呈する、
ことを特徴とする請求項１乃至４のいずれか１項に記載のメータ装置。
【発明の詳細な説明】
【技術分野】
【０００１】
本発明は、自動車用計器や船舶用計器、航空機用計器など各種乗物用の計器として用いることができるメータ装置に関するものである。
【背景技術】
【０００２】
従来、各種計器類に用いるメータ装置として各種多様なものが提案され開発されている（例えば、特許文献１及び特許文献２参照）。
【０００３】
このうち、特許文献１のメータ装置１００は、図５に示すように、前面が開放したケース体１０１の前面開放部に、ほぼ円形状の透光部とこの透光部の外周側に透光性の文字、目盛り部とを有する文字板１０２を配設すると共に、文字板１０２の前面側に、スリットなどのような指針部を有する円盤状の指針板１０３を配設している。また、ケース体１０１内には、指針板１０３を所定の計測量に基づいて回転駆動するムーブメント１０４を配設すると共に、このムーブメント１０４の周囲に、文字板１０２で拡散する照射光を発する光源１０５を配設している。さらに、ムーブメント１０４の頂部には、光源１０５が発する照射光を指針板１０３側に反射する反射部材１０６を配設している。
【０００４】
このような構成のメータ装置１００にあっては、上述したように、ムーブメントの頂部に、光源が発する照射光を文字板側に反射する反射部材を配設したので、ムーブメント部分の拡散照射光がこの反射部材で反射されて、文字板の背面側から照射されるようになる。従って、指針板の指針部の中心側にムーブメントによるかげり部分が生ずるようなことがなくなる。
【０００５】
一方、特許文献２に記載のメータ装置２００は、図６に示すように、基板２１０と、回転中心を有する基部２２０及び該基部２２０から径方向に延出する指針部２３１を有する指針２３０と、基板２１０上に支持され、指針２３０を回転駆動する回転軸２４１を有するムーブメント２４０と、基板２１０上に実装され、指針２３０に光を照射するＬＥＤなどの光源２５０と、光源２５０からの光を指針２３０に導く導光体２６０とを備える指針計器であって、光源２５０は、回転軸２４１の周囲に複数個、基板２１０上に実装されている。また、導光体２６０は、一端にムーブメント２４０の回転軸２４１に支持される支持部２６１と、回転軸２４１よりも径方向に突出し光源２５０からの光を入射する入射部２６２と、入射部２６２に入射された光を出射する出射部２６３とを有する。
【０００６】
このような構成のメータ装置２００によれば、光源２５０が多数配置可能な特有形状の導光体２６０を設けているので、指針２３０の高輝度発光が可能なメータ装置を提供できる。
【先行技術文献】
【特許文献】
【０００７】
【特許文献１】実開平５−２０２２号公報
【特許文献２】特開２００８−７６１１１号公報
【発明の概要】
【発明が解決しようとする課題】
【０００８】
ところで、上記の特許文献１に記載のようなメータ装置１００によれば、指針部をスリットで構成するという、ユニークで高級感のあるメータ装置が実現できるので、その点では好都合である。ところが、このメータ装置１００では、例えば指針部の回転中心側の部分である反射部材１０６の直下の領域とこれから離れた指針部の先端側とにおける照明光の通過光量に差を生じやすい。その結果、明るさにむらを生じて、発光状態が均一で視認性の良好なものを得難い。
【０００９】
一方、特許文献２に記載のメータ装置２００によれば、大径の導光体２６０を設けることで指針の高輝度発光が可能となる点では好都合である。ところが、その反面、導光体２６０の外径が上部側でも太い分、この導光体２６０が貫通する文字板２７０の孔２７１も内径寸法が大きくなるので、この孔２７１からの光の漏れが無視できない。また、導光体２６０の上部外径が太いと、この上端面に被せるキャップ２８０もどうしても大きくなり、その分、意匠性が損なわれるなどの問題もある。
【００１０】
本発明は、上述した事情に鑑みてなされたものであり、その目的は、デザイン性が良好で、文字板の指針軸が貫通する軸孔からの光漏れを可及的に抑えることが可能となるメータ装置を提供することにある。
【課題を解決するための手段】
【００１１】
前述した目的を達成するために、本発明に係るメータ装置は、下記（１）〜（５）を特徴としている。
（１）  光源から照射された光が入射する回転軸と、前記回転軸を回転させるモータと、を有するムーブメントと、
各種標記が描かれた文字板と、
前記文字板上の標記を指し示す指針本体と、前記文字板に向けて前記指針本体の基部から垂下された、基端側が前記文字板の軸孔に回転可能に挿通されるとともに前記回転軸の先端側と連結可能な指針軸と、を有する指針と、
前記文字板の背面側において前記指針軸の基端に取り付け可能な、前記指針軸が貫通する前記軸孔からの光漏れを抑えるための遮光部材と、
を備える、
こと。
（２）  上記（１）の構成のメータ装置であって、
前記指針軸の外周面のうちの、前記遮光部材より前記文字板寄りに位置する箇所には、前記指針軸の内部から外部へ向けての光の透過を抑制する抑制部材が設けられている、
こと。
（３）  上記（１）または（２）の構成のメータ装置であって、
前記回転軸の先端に配置されるプリズムをさらに備え、
前記プリズムは、前記回転軸内を伝播してきた前記光源からの光の一部を前記文字板から離れる向きに屈折するように構成した、
こと。
（４）  上記（３）の構成のメータ装置であって、
前記プリズム及び前記遮光部材は、前記指針軸と前記回転軸とを連結する手段を有している、
こと。
（５）  上記（１）から（４）のいずれか一つの構成のメータ装置であって、
前記遮光部材は、少なくとも文字板に対面する面側が前記文字板と同系色を呈する、
こと。
【００１２】
上記（１）の構成のメータ装置によれば、指針軸の文字板から露出する先端部に大きなキャップを被せる必要がなくなる。換言すれば、小さなキャップであっても、文字板の指針軸が貫通する軸孔からの光漏れを可及的に抑えることが可能となる。これにより、デザイン性が良好なメータ装置が実現できる。
上記（２）の構成のメータ装置によれば、単一光源からの光をプリズムによって文字板のケース内反射部に向けて屈折させることで、指針の照明とともに文字板の照明が同時に可能となる。
上記（３）の構成のメータ装置によれば、指針軸と回転軸との間に専用の連結手段を設けなくても済むので、コスト削減が図れる。
上記（４）の構成のメータ装置によれば、透明若しくは半透明を有する文字板の直下にある遮光部材が文字板の外側から透けて見えるのを防止できるので、その分、審美性が低下するのを回避できる。
【発明の効果】
【００１３】
本発明のメータ装置によれば、指針軸の文字板から露出する先端部に大きなキャップを被せる必要がなくなり、小さなキャップでも、文字板の指針軸が貫通する軸孔からの光漏れを可及的に抑えることが可能となる。その結果、デザイン性が良好な意匠表示のメータ装置が提供できるようになる。
【００１４】
以上、本発明について簡潔に説明した。更に、以下に説明される発明を実施するための形態を添付の図面を参照して通読することにより、本発明の詳細は更に明確化されるであろう。
【図面の簡単な説明】
【００１５】
【図１】本発明の実施形態に係るメータ装置を示す平面図である。
【図２】図１のＩＩ−ＩＩ線における矢視断面図である。
【図３】図２に示すメータ装置の指針の要部を示す断面図である。
【図４】本発明の実施形態に係るメータ装置の遮光部材を示す斜視図である。
【図５】従来のメータ装置を示す断面図である。
【図６】従来の他のメータ装置の要部を示す断面図である。
【発明を実施するための形態】
【００１６】
以下、本発明の実施形態について、添付図面を参照しながら詳細に説明する。
【００１７】
図１及び図２は、本発明の実施形態に係るメータ装置１を示すものである。
メータ装置１は、基板２上に実装された光源３と、光源３が搭載された領域を含む基板２上の所定場所に取付けられたムーブメント４と、ムーブメント４の上部に設置された、数字、文字、記号など、車自体或いは車周辺の環境などに関する必要情報を表記する文字板５と、文字板５の数字、文字、記号など指し示す指針６と、後に詳述するプリズム７及び遮光部材８と、を有する。なお、図１中、符号１１はトリップメータやオドメータなどを表示させるＬＣＤ（Liquid Crystal Display）による表示部を、符号１０は、これらの部材を内部に収容するケースを、符号１２は表示板を、それぞれ示す。また、図２中、符号１３は計器のケース１０の内部に位置するケース内反射部を示すものであり、このケース内反射部１３の表面は、照明光が吸収されず効果的に反射するような適宜材料で形成される。
【００１８】
光源３は、所定波長（λ）の可視光を出射する例えばＬＥＤ（Light Emitting Diode；発光ダイオード）で構成されており、後述する回転軸４１の下部側の端面（以下、これを「基端面」とよぶ）に正対するような状態でその直下の基板２に実装されている。本実施形態の光源３であるＬＥＤは、光軸が基板２の上面に対して垂直なＺ方向に設定されており、このＬＥＤからの主要な大部分の光（以下、「照明光」とよぶ）が直上の回転軸４１の基端面に向けて出射される。
【００１９】
ムーブメント４には、図２に示すこのムーブメントのムーブメントケース４０内部に、ステップモータＭ、減速ギア列Ｇ、及び回転軸４１などのムーブメント部品が収容されている。なお、ムーブメントケース４０の上面側は、後述するプリズム７で屈折後の照明光が反射してケース内反射部１３に均一な照明を施すことができるようにするため、外周に向かうほどケース内反射部１３へ向けて下方に傾斜した斜面形状を呈している。また、このムーブメントケース４０の上面では、照明光が吸収されず効果的に反射するような適宜材料で形成される。
【００２０】
ステップモータＭは、回転軸４１を回動させるためのものであり、減速ギア列Ｇ、即ち中間ギアＧ１及び出力ギアＧ２を介して減速させながら回転軸４１を回動させる。この回転軸４１を回動させることにより、これと一体の指針６を文字板５の表面に沿って回動させ、必要な各種情報を指し示す。本実施形態のステップモータＭは、図２に示すように、ステータＭ１と、このステータＭ１の開口された中央部に設置されたロータ軸を含むロータＭ２と、を備えている。なお、上記のような減速ギア列Ｇではなく、単一のギアで減速させる構成であってもよい。
【００２１】
出力ギアＧ２は、回転軸４１の中間部付近においてこの回転軸４１と一体に形成されている。例えば、本実施形態の出力ギアＧ２は、適宜の透明樹脂材料により、導光機能を有する回転軸４１と一体成形されている。尚、本実施形態では、出力ギアＧ２と回転軸４１とは一体に成形されているが、別体としてそれぞれ形成しておき、その後に回転軸４１を出力ギアＧ２に貫通して固着させるようにした構成であってもよい。
【００２２】
回転軸４１は、導光性に優れた適宜の透光性（若しくは導光性）樹脂材料で出力ギアＧ２と一体に成形されており、ステップモータＭからの回転力を指針軸６１へ伝達させるだけでなく、光源３からの照明光を指針軸６１へ伝播させるようになっている。具体的には、この回転軸４１は、出力ギアＧ２の円盤状のギア本体中央から上方および下方にそれぞれ突出するように設けられており、ギア本体に対して垂直上方に延びる回転軸４１の上側の軸芯、ギア本体に対して垂直下方に延びる回転軸４１の下側の軸芯、およびギア本体のギア軸芯とは同一直線上に位置する。また、この回転軸４１は、光源３からの照明光を指針６まで効果的に導光させるために略円柱形状を有する。
【００２３】
この回転軸４１は、所要の光量を確保するため、導光機能を持たない回転軸に比べて外径、特に下部側の外径も太くしている。回転軸４１の下部側の外径寸法を大径にしているので、小径寸法のものよりも光源３からの照明光に対する受光効率が高まる。特に、本実施形態の回転軸４１は、下部側の外径寸法を上部側と同等寸法に構成している。従って、上部側の回転軸４１内部を導光する照明光は、大径から小径に縮径された構造のものとは異なり、回転軸４１内部を導光されてきた照明光が、縮径部分で漏光するといった現象も回避できるので、導光効率も高まる。
【００２４】
また、この回転軸４１は、ムーブメントケース４０の上部から外部に突出しており、先端側である上側が後述の指針軸６１の端部（これを「基端」とよぶ）に、プリズム７及び遮光部材８を介して一体に組付けられている。また、この回転軸４１は、先端側がムーブメントケース４０の軸孔４０Ａに軸支されており、また基端側が、ムーブメントケース４０に設けた軸受けとなる軸孔４０Ｂに回転自在に軸支されている。
【００２５】
前述したように、この回転軸４１は、基端面が光源３の直上に設置されて正対している。従って、光源３からの照明光がこの基端面に入射すると、その照明光の大部分が回転軸４１の内部の外周面との界面部分で反射、例えば全反射或いは正反射等を繰り返しながら導光され、先端である上方へ向けて伝搬されていく。
【００２６】
ムーブメント４を備える本実施形態のメータ装置１は、透明材料若しくは半透明材料で形成された文字板５が速度計の全面に亘って嵌め込まれている。また、文字板５には、ムーブメント４を含む各種計器類を設置するための孔や各種表示窓を開口させている。更に、この文字板５は、透明な図示外の表ガラスで上部が覆われている。尚、表ガラスは、無色透明なものだけでなく、黒色系透明なもの、スモークフィルムが張られた所謂スモークガラスなどの透過性を有するものであればよい。
【００２７】
なお、ムーブメント４を備えるメータ装置１は、例えば本実施形態の場合には速度計を構成している。この場合、図示しないセンサによって検出された現在速度に対応したセンサ信号に基づき、後述の指針６を所定角度だけ回動させ、文字板５に形成された特定の数字を指し示すことによって現在速度をアナログ表示する。
【００２８】
文字板５は、透明材料若しくは半透明材料で形成されたものであって、車自体或いは車周辺の環境などに関する必要情報が適所に表記されている。また、この文字板５には、中央部に指針６の指針軸６１が貫通する軸孔５０が穿設されているが、この軸孔５０は内径寸法Ｄが必要最小限の大きさに形成されている。このように、内径寸法Ｄを最小限に形成させることで、指針６の基部６３に被せるキャップ９の外形寸法も必然的に必要最小限のものを用いることができる。
【００２９】
なお、本実施形態では、必要最小限の大きさのキャップ９を指針６に取付けているが、後述する遮光部材８があることによって、キャップ９は必須のものでなくすることができる。
【００３０】
指針６は、前述したように、回転軸４１を伝播してきた照明光を入射させ指針本体６２へ伝播させるために、透光性を有する指針軸６１が指針本体６２の基部６３に垂設されている。また、この指針６には、指針軸６１の直上である基部６３を覆うキャップ９を備える。さらに、この指針軸６１の外周面には、図３に示すように、指針本体６２の基部６３へ向けて指針軸６１内部を伝播する照明光が、指針軸６１の外周面から外部へ漏光するのを抑制させるために、適宜の反射膜などからなる抑制部材６０が形成されている。なお、この抑制部材６０の形成部位は、少なくとも遮光部材８よりも先の、つまり指針軸６１の先端寄りの外周面であればよい。
【００３１】
プリズム７は、回転軸４１の先端側に一体に組付けられており、回転軸４１内部を伝播する照明光の一部を、遮光部材８に達する前に屈折させることで、文字板５の背面側から直接、若しくはケース内反射部１３で反射後に文字板５の背面側から照明を施す。そのため、このプリズム７は、適宜の透明材料を用いて形成されており、外周にいくほど厚さを薄くさせた略円盤状を呈している。
【００３２】
このプリズム７は、下面中央部に回転軸４１の先端が圧入される下穴７１を有するとともに、上面中央部に遮光部材８の後述する軸受部８１が圧入される上穴７２を有する。このようなプリズム７を設置することで、単一の光源３からの照明光を、指針６の照明とともに、文字板５の照明としても兼用できるので、メータ装置１の小型化及びコスト削減などが図られる。なお、ここでは、回転軸４１とプリズム７とを別体にした構造について説明するが、プリズム７と回転軸４１とを一体に成形したものであってもよい。その際、ムーブメントケース４０の形状は適宜変更される。
【００３３】
遮光部材８は、プリズム７で屈折して各種方向に向かう照明光の一部が、軸孔５０から文字板５の外部に漏光するのを防止するものである。この遮光部材８のおかげで、大きな外径寸法のキャップを指針６の基部６３に被せなくとも済むようになっている。
【００３４】
本実施形態の遮光部材８は、図４に示すように、適宜の不透明材料を用いて略傘形状に形成されている。この遮光部材８は、基本的には、照明光となる波長の光を吸収または反射する構成であることが必要であるが、好ましくは、可視光領域の波長の光、つまり、凡そ３８０ｎｍから７６０ｎｍの波長帯の全ての光を吸収または反射する構成であることが好ましい。
【００３５】
本実施形態の遮光部材８は、少なくとも文字板５と対面する上面部分が文字板５と同系色のもので形成又は着色されている。遮光部材８は、透明若しくは半透明を有する文字板５の背面側に位置しているが、遮光部材８が文字板５と同系色のもので形成又は着色されていることにより、文字板５が光を透過するものであっても、遮光部材８が文字板５の上面側から透けて見えることを抑制している。
【００３６】
遮光部材８は、指針軸６１の基端側の一部に取付可能な構成のものであって、本実施形態では下上各面の中央部に突出する軸受部８１，８２を貫通して形成された貫通孔８０に一体に組付けてある。
【００３７】
次に本実施形態の作用について説明する。
光源３から出射する照明光は、回転軸４１の基端面から入射し、ムーブメントケース４０の上面から突出した回転軸４１の先端面まで導光された後、プリズム７に入射してその内部を進行する。その後、この照明光のうち、プリズム７内の上部にて主に中心部付近から出射する照明光が、このプリズム７及び遮光部材８を介して回転軸４１と一体に連結された指針軸６１の基端面から入射してその内部を上方へ進行する。このようにして、指針軸６１を伝播する照明光が、その後に、指針本体６２から出射することで、指針６が発光照明される。
【００３８】
また、プリズム７に入射して内部を進行する照明光のうち、プリズム７と空気との界面で屈折し、プリズム７から外方へ向けて進行する照明光については、プリズム７で屈折後に、大部分が文字板５の背面、ムーブメントケース４０の上面、又は計器のケース１０の内部に位置するケース内反射部１３に向けて進行する。このうち、ムーブメントケース４０の上面部分、又はケース内反射部１３に向けて進行する照明光については、それらの面で吸収されないように構成されているので、反射後、あるいはこれらで再度の反射を経て、やがて文字板５を背面から透過することができる。これにより、単一の光源３での照明光であっても、指針６と文字板５との双方の照明が可能となるわけである。
【００３９】
このような指針６での発光照明は、指針６が回動停止中であっても、またどの方位を指針６が回動動作中であっても、まったく同じように行われる。即ち、光源３からの照明光が、回転軸４１、プリズム７、指針軸６１、指針本体６２（これらを、ここでは回動部材とよぶ）に至るまで伝播するときの伝播動作は、これら回動部材が回動している間、回動部材の回動角速度や回動位置に拘わらず同じように行われる。その結果、指針６及び文字板５は、同じように発光照明される。
【００４０】
本実施形態によれば、光源３からの照明光が例えば回転軸４１の外周面から漏光した場合、その漏光した照明光が仮に上（Ｚ）方向に向かおうとしても、遮光部材８で殆どが吸収または反射する。そのため、遮光部材８と文字板５の背面との間の隙間を通り抜けて文字板５の狭い軸孔５０から文字板５の外部へ漏光するのは殆ど回避できる。特に、この実施形態では、軸孔５０を必要最小限の内径寸法に形成してあるので、その漏光はさらに回避できる。
【００４１】
プリズム７から上（Ｚ）方向に向かって屈折する照明光についても、上述の場合と作用は同じであって、漏光が回避できる。さらに、指針軸６１の外周面には、図３に示す抑制部材６０が設けられている。従って、指針軸６１の外周面から外部に漏光して上（Ｚ）方向に向かい、文字板５の軸孔５０から文字板５の外部へ漏光するといった不都合も回避できる。
【００４２】
従って、本実施形態によれば、文字板５の指針軸６１が貫通する軸孔５０からの光漏れを可及的に抑えることが可能となるので、軸孔５０からの漏光を防止できる。この場合、図１に示すように、本実施形態ではキャップ９は、短径側の長さＬが軸孔５０の必要最小限の大きさを有する内径寸法Ｄより僅かに大きく形成されており、従来に比べて大幅に小さく形成できる。
【００４３】
従って、本実施形態によれば、文字板５の指針軸６１が貫通する軸孔５０からの光漏れを可及的に抑えることが可能となるメータ装置において、キャップ９を大幅に小型化できるので、デザイン性の良好なものが得られるようになる。
【００４４】
なお、本発明は上述した実施形態に何ら限定されるものではなく、その要旨を逸脱しない範囲において種々の形態で実施し得るものである。
【００４５】
例えば、本発明の遮光部材８は、指針軸６１の基端側の一部に取付け可能な構成のものであって、本実施形態では中央部に穿設された貫通孔８０に、指針軸６１が嵌挿状態で一体に組付けてあるが、特にこれに限定されない。即ち、この遮光部材８は、例えば、文字板５の内面である背面に一体に組付けてもよい。その場合、指針軸６１を回転自在に支持するために、中央部に指針軸６１を軸支させる軸受を取付けた貫通孔８０を、文字板５の軸孔５０に合致するような状態で、遮光部材８を文字板５の背面に固着させればよい。
【００４６】
また、本実施形態では遮光部材８が文字板５と同系色で形成されているが、特にこの構成に限定されない。即ち、図２に示すように、遮光部材８の直上で、かつ、文字板５の背面に、文字板５と同一若しくはこれより大きめの形状を有する同系色の目隠し部材１４をケース１０の一部として固設しておけば、遮光部材８は任意の色の遮光性材料で形成してもよい。
【００４７】
この場合には、遮光部材８は、上面を含めた外面を光源３からの照明光を吸収させる適宜の任意の色に形成できるので、遮光部材８は、その色がいずれであっても照明光を吸収可能であればよく、材料の選択自由度が増す。一方、文字板の背面側の、遮光部材８の直上部分には、この遮光部材８と同一形状若しくはこれより大きめの形状を有し、文字板５と同様の、文字板５と同系色の波長の光のみを透過させ、それ以外の波長域の可視光を吸収させる目隠し部材１４を設けるようにする。
【００４８】
さらに、本実施形態では、必要最小限の大きさのキャップ９を指針６に取付けているが、特にこれは必須のものではない。
【００４９】
さらに、本実施形態では、プリズム７を回転軸４１の先端に追加的に設置したが、文字板を照明する専用の光源を指針用光源とは別に適宜位置に設置することで、プリズムを使用しない構成とすることも可能である。
【００５０】
また、本発明のメータ装置としては、例えば、燃料計部、タコメータ部、スピードメータ部、及び水温計等の各種計器類などのメータ装置への適用が可能である。さらに、本発明のメータ装置は、自動車用計器として説明したが、これ以外に、船舶用計器、航空機用計器など各種乗物用の計器として適用も可能である。
【符号の説明】
【００５１】
１  メータ装置
１１  表示部
１２  表示板
１３  ケース内反射部
１４  目隠し部材
２  基板
３  光源
４  ムーブメント
４０  ムーブメントケース
４０Ａ、４０Ｂ、５０  軸孔
４１  回転軸
５  文字板
６  指針
６０  抑制部材
６１  指針軸
６２  指針本体
６３  基部
７  プリズム
８  遮光部材
８０  貫通孔
８１，８２  軸受部
９  キャップ
１０  ケース
Ｇ  減速ギア列
Ｍ  ステップモータ
【図１】
0005820175.tif 000002
【図２】
0005820175.tif 000003
【図３】
0005820175.tif 000004
【図４】
0005820175.tif 000005
【図５】
0005820175.tif 000006
【図６】
0005820175.tif 000007